(57)【要約】      （修正有）【課題】厚さが薄く、且つ、体積が小さく、織物を着る際に不快感を感じない織物に最適な織物用の制御装置を提供する。【解決手段】織物用の制御装置は、導電性経糸と、導電性緯糸と、絶縁性経糸とを含み、且つこのような３つの糸で複数の導通位置を形成する導電布と、複数の導線が設けられた第１の紡織フラットケーブルを有し、第１の紡織フラットケーブルと導電布とが互いに重ねられ、これらの導線のうち何れか２本の導線が何れか一つの導通位置における導電性経糸及び導電性緯糸にそれぞれ電気的に接続されている紡織フラットケーブル手段と、第１の紡織フラットケーブルのこれらの導線に電気的に接続されている処理手段とを含む。【選択図】図２
0003178253.tif 000002
【実用新案登録請求の範囲】
【請求項１】
複数本の導電性経糸と、複数本の導電性緯糸と、複数本の絶縁性経糸とを含み、前記導電性経糸と前記導電性緯糸との間に前記絶縁性経糸が位置され、前記導電性緯糸に前記導電性経糸が可動的且つ電気的に接することで複数の導通位置が形成された導電布と、
少なくとも一つの第１の紡織フラットケーブルを有し、前記第１の紡織フラットケーブルには複数の導線が設けられ、前記第１の紡織フラットケーブルと前記導電布とが互いに重ねられ、これらの導線のうち何れか２本の導線が前記導電布の何れか一つの導通位置における導電性経糸及び導電性緯糸にそれぞれ電気的に接続された紡織フラットケーブル手段と、
前記第１の紡織フラットケーブルのこれらの導線に電気的に接続された処理手段と、
を含む、織物用の制御装置。
【請求項２】
前記第１の紡織フラットケーブルが前記導電布と互いに斜め方向に重ねられ、前記第１の紡織フラットケーブルのこれらの導線が前記導電布の導電性経糸及び導電性緯糸と平行しないことを特徴とする請求項１に記載の織物用の制御装置。
【請求項３】
前記第１の紡織フラットケーブルには２本の導線が設けられ、前記２本の導線が前記導電布の何れか一つの導通位置における導電性経糸及び導電性緯糸にそれぞれ電気的に接続されていることを特徴とする請求項１に記載の織物用の制御装置。
【請求項４】
前記第１の紡織フラットケーブルには４本の導線が設けられ、前記４本の導線のうち何れか２本の導線が前記導電布の何れか一つの導通位置における導電性経糸及び導電性緯糸にそれぞれ電気的に接続されていることを特徴とする請求項１に記載の織物用の制御装置。
【請求項５】
前記処理手段及び前記第１の紡織フラットケーブルにはさらに電気コネクタ及び対応する電気コネクタがそれぞれ電気的に接続され、前記対応する電気コネクタと電気コネクタ３１とが対応され、前記電気コネクタと前記対応する電気コネクタとが分離可能に電気的に接続されていることを特徴とする請求項１に記載の織物用の制御装置。
【請求項６】
前記紡織フラットケーブル手段は、さらに、少なくとも複数の導線が設けられた第２の紡織フラットケーブルを含み、前記第１、第２の紡織フラットケーブルの導線が前記処理手段にそれぞれ電気的に接続され、前記第１、第２の紡織フラットケーブルが前記導電布とそれぞれ重ねられ、前記第１の紡織フラットケーブルのこれらの導線のうち何れか１本の導線が前記導電布の何れか複数の導通位置における導電性緯糸に電気的に接続され、前記第２の紡織フラットケーブルのこれらの導線のうち何れか１本の導線が前記導電布の何れか複数の導通位置における導電性経糸に電気的に接続されていることを特徴とする請求項１に記載の織物用の制御装置。
【請求項７】
前記第１、第２の紡織フラットケーブルがともに前記導電布と正方向に互いに重ねられていることを特徴とする請求項６に記載の織物用の制御装置。
【請求項８】
前記第１紡織フラットケーブルのこれらの導線が前記導電布の導電性経糸及び導電性緯糸のうち一方に平行され、前記第２紡織フラットケーブルのこれらの導線が前記導電布の導電性経糸及び導電性緯糸のうち他方に平行されていることを特徴とする請求項７に記載の織物用の制御装置。
【請求項９】
前記処理手段には少なくとも２つの電気コネクタがさらに電気的に接続され、前記第１、第２の紡織フラットケーブルには前記２つの電気コネクタに対応するための対応する電気コネクタがそれぞれ電気的に接続され、前記第１、第２の紡織フラットケーブルの対応する電気コネクタが前記処理手段の両電気コネクタにそれぞれ分離可能に電気的に接続されていることを特徴とする請求項６に記載の織物用の制御装置。
【請求項１０】
前記導電布には切欠部が設けられ、前記切欠部内に前記処理手段が設けられていることを特徴とする請求項６に記載の織物用の制御装置。
【考案の詳細な説明】
【技術分野】
【０００１】
本考案は、制御装置に係り、特に服やズボン、スカートなどの織物に設けられるとともに電気製品を制御するための織物用（繊維用）の制御装置に関るものである。
【背景技術】
【０００２】
現在、電気製品が益々コンパクト化になる傾向があり、人々が身体に携帯しながらあらゆる場所で如何なる時間にも使えるようになっているが、これらの電気製品を操作しようとすると、まず服、ズボン（スカート）のポケットの内、又は鞄の中から電気製品を取り出さなければならず、また操作完了後も元に戻す必要があり、便利性の点で改善する余地がある。
【０００３】
これに鑑み、メーカは、例えば、服やズボン、スカートなどの織物に制御装置を設け、且つこれらの電気製品に制御装置を電気的に接続することで、これらの電子装置を操作することを提案している。自身の着る物に設けた制御装置を指で押せば、これらの電気製品の操作（例えば、音楽再生又は音楽停止など）を制御でき、電気製品を先に取り出すような面倒的な操作が必要なくなる。
【０００４】
しかしながら、従来の制御装置はその体積が大きく、しかも硬質であるので、人の体に着ている柔らかな織物に設けられると、人々に対して非常に不快感を与えてしまい、この点について以前からよく指摘されている。
【考案の概要】
【考案が解決しようとする課題】
【０００５】
そのため、上記した従来の欠点を改善できる考案をどうすれば設計できるかが、本考案者らが解決しようとする課題である。
【０００６】
本考案は、特別に設計した導電布及び紡織フラットケーブル手段を柔らかく、且つ、互いに重ねて導通可能とすることによって、織物に最も適した制御装置となるだけでなく、薄く、且つ、体積を小さくでき、さらに柔らかな特性を持ち、人々がこれらの制御装置が設けられた織物を着る際に、柔らかく体積が小さいので、不快感を感じなくなる織物用の制御装置を提供することを一の目的とする。
【０００７】
本考案は、特別に設計した導電布と紡織フラットケーブル手段及びその間の特別な接続関係によって、押ボタンスイッチとして用いる導通位置を同時に複数有し、複数の操作・制御を容易に行えるようにした織物用の制御装置を提供することを二の目的とする。
【課題を解決するための手段】
【０００８】
前記目的を達成するため、本考案の織物用の制御装置は、導電布と、紡織フラットケーブル手段と、処理手段とを含む。前記導電布は、複数本の導電性経糸と、複数本の導電性緯糸と、複数本の絶縁性経糸とを含み、前記導電性経糸と前記導電性緯糸との間に前記絶縁性経糸が位置され、前記導電性緯糸に前記導電性経糸が可動的且つ電気的に接することで複数の導通位置が形成され、前記紡織フラットケーブル手段は、少なくとも一つの第１の紡織フラットケーブルを有し、前記第１の紡織フラットケーブルには複数の導線が設けられ、前記第１の紡織フラットケーブルと前記導電布とが互いに重ねられ、これらの導線のうち何れか２本の導線が前記導電布の何れか一つの導通位置における導電性経糸及び導電性緯糸にそれぞれ電気的に接続され、前記処理手段が前記第１の紡織フラットケーブルのこれらの導線に電気的に接続されている。
【考案の効果】
【０００９】
本考案は、織物に最適な織物用の制御装置を提供することができる。
本考案に係る織物用の制御装置は、厚さが薄く、且つ、体積が小さいだけでなく、さらに織物のように柔らかく、人々がこれらの制御装置が設けられた織物を着る際に、柔らかく体積が小さいので、不快適な感覚を感じなくなる。
【００１０】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【図面の簡単な説明】
【００１１】
【図１】図１は、本考案における導電布の平面図及び一部拡大図、図に絶縁性糸（絶縁性経糸及び絶縁性緯糸を含み）を示されない。
【図２】図２は、本考案の図１による２−２矢印に沿った断面図、図に絶縁性糸のうち絶縁性緯糸を示されない。
【図３】図３は、本考案に係る制御装置の第１実施例を示す平面図である。
【図４】図４は、本考案に係る制御装置の第２実施例を示す平面図である。
【図５】図５は、本考案に係る制御装置の第３実施例を示す平面図である（組立前）。
【図６】図６は、本考案に係る制御装置の第３実施例を示す平面図である（組立後）。
【考案を実施するための形態】
【００１２】
本考案の織物用の制御装置は、例えば、服やズボン、スカートなどの織物（各種繊維製品）に設けられるためのものであって、指押しの操作を行い易く、図３、図４は、本考案の第１、第２実施例、図５、図６は、本考案の第３実施例をそれぞれ示す。
【００１３】
制御装置は、柔らかな導電布１と、柔らかな紡織フラットケーブル手段２と、処理手段３とを含む。
【００１４】
図１、図２に示すように、導電布１は、複数本の導電性経糸１１と、複数本の導電性緯糸１２と、複数本の絶縁性糸（複数本の絶縁性経糸１３及び複数本の絶縁性緯糸を含むが、図を見易くするため、図１では絶縁性糸を、図２では絶縁性緯糸を図示していない）とを含む。導電性経糸１１と導電性緯糸１２との間に絶縁性糸が位置する。
図２に示すように、導電性緯糸１２の個々が導電性経糸１１のうち何れか２本の絶縁性経糸１３間に連続して上下に交絡され、２本の絶縁性経糸１３間の上方に各導電性経糸１１が位置する。さらに何れか２本の絶縁性経糸１３の下方を下に向けて絡まれる導電性緯糸１２が位置し、個々の導通位置１５が形成される。
一つの導通位置１５を例として、導電性経糸１１を指で押下すると、下方の２本の絶縁性経糸１３が左、右両方に離間するように導電性経糸１１に押し付けられ（図示せず）、導電性経糸１１を導電性緯糸１２に接触させて電気的に導通されるようになる。言い換えれば、導通位置１５が導通されるようになり、指が離れると、導電性経糸１１と２本の絶縁性経糸１３が弾性によって元の位置に戻るようになる。
【００１５】
図３は、本考案に係る第１実施例を示し、図３の右半は、左半分の概略図で、導電布１において交差する１本の導電性経糸１１と１本の導電性緯糸１２を簡易に図示する。紡織フラットケーブル手段２は、少なくとも一つの第１の紡織フラットケーブル（図３に示すように、一つの第１の紡織フラットケーブルを含み）２１を有し、第１の紡織フラットケーブル２１には互いに干渉しない複数の導線２０１が設けられ、第１の紡織フラットケーブル２１と導電布１とが互いに重ねられ、これらの導線のうち何れか２本の導線２０１が前記何れか一つの導通位置１５における導電性経糸１１及び導電性緯糸１２に電気的に接続されるとともに、図３の右半に示すように両電気ノード１４が形成され、言い換えれば、図３の右半の導通位置１５を指で押下すると、導通位置１５における導電性経糸１１を導電性緯糸１２に導通させることができる（詳細は図２を参照する）。図３に示すように、第１の紡織フラットケーブル２１は、２本の導線２０１を有し、何れかの導通位置１５における導電性経糸１１と導電性緯糸１２が２本の導線２０１を介してそれぞれ電気的に接続されている。
【００１６】
導電性経糸１１又は導電性緯糸１２に導線２０１をそれぞれ電気的に接続する方法について、例えば、細い導線で縫うとか、その間を刺しピンで刺すとかで、何れも上記のような電気ノード１４が形成できる。
【００１７】
処理手段３は、マイクロ処理手段(Micro Control Unit,略称MCU)或いは類似機能を持つ電子素子であって、第１の紡織フラットケーブル２１のこれらの導線２０１に電気的に接続されている。
【００１８】
そのため、導通位置１５を押しボタンスイッチとすれば、導通位置１５を指で押下すると、２本の導線２０１間が導通されることを意味し、このとき、処理手段３により制御信号（例えば、再生信号又は停止信号など）を発信し、言い換えれば、処理手段３の信号出力端（符号を示さず）に電気製品が電気的に接続されると、該電気製品の操作（例えば、再生や停止など）を制御信号により制御可能となる。
【００１９】
実用時に、本考案の制御装置が例えば、服やズボン、スカートなどの織物に設けられ（図示せず）、電気製品を制御しようとする場合、指で押すだけで済む。
【００２０】
図４は、本考案に係る第２実施例を示し、本実施例の第１の紡織フラットケーブル２１には４本の導線２０１が設けられ、４本の導線のうち何れか２本の導線２０１が前記何れか一つの導通位置１５における導電性経糸１１及び導電性緯糸１２にそれぞれ電気的に接続されている。詳しく言えば、第１の紡織フラットケーブル２１には４本の導線２０１が設けられるため、導電性経糸１１と導電性緯糸１２との電気的接続にとって、以下の６つの変化がある（図４に示すように）。１−２）導電性緯糸１２が左から１本目の導線に接続し、導電性経糸１１が２本目の導線に接続し、下から１番目の導通位置１５に対応され、１−３）導電性緯糸１２が１本目の導線に接続し、導電性経糸１１が３本目の導線に接続し、２番目の導通位置１５に対応され、１−４）導電性緯糸１２が１本目の導線に接続し、導電性経糸１１が４本目の導線に接続し、３番目の導通位置１５に対応され、２−３）導電性緯糸１２が２本目の導線に接続し、導電性経糸１１が３本目の導線に接続し、４番目の導通位置１５に対応され、２−４）導電性緯糸１２が２本目の導線に接続し、導電性経糸１１が４本目の導線に接続し、５番目の導通位置１５に対応され、３−４）導電性緯糸１２が３本目の導線に接続し、導電性経糸１１が４本目の導線に接続し、６番目の導通位置１５に対応されている。
【００２１】
そのため、本考案の制御装置の第２実施例は、６つの導通位置１５を同時に備えるため、６つの制御可能な押ボタンスイッチを有するようになる。勿論、第１の紡織フラットケーブル２１には導線２０１がより多く設けられれば、押ボタンスイッチをより多く有するようになる。
【００２２】
また、本考案の第１及び第２実施例において、（一）第１の紡織フラットケーブル２１のこれらの導線２０１が導電布１の導電性経糸１１及び導電性緯糸１２と平行しないように第１の紡織フラットケーブル２１と導電布１とが互いに斜め方向に重ねられている（図３に示すように）。（二）処理手段３及び第１の紡織フラットケーブル２１にさらに電気コネクタ３１及び対応する電気コネクタ２３がそれぞれ電気的に接続され、対応する電気コネクタ２３と電気コネクタ３１とが互いに対応され、電気コネクタ３１と対応する電気コネクタ２３とが分離可能に電気的に接続されている。
【００２３】
図５、図６は、本考案に係る第３実施例を示し、本実施例の紡織フラットケーブル手段２は、さらに、少なくとも複数の導線２０１が設けられた第２の紡織フラットケーブル（図５、図６に示すように、一つの第２の紡織フラットケーブルを含み）２２を含み、第１、第２の紡織フラットケーブル２１、２２の導線２０１が処理手段３にそれぞれ電気的に接続され、第１の紡織フラットケーブル２１のこれらの導線２０１が導電布１の導電性経糸１１と平行し、第２の紡織フラットケーブル２２のこれらの導線２０１が導電布１の導電性緯糸１２と平行するように、第１、第２の紡織フラットケーブル２１、２１と導電布１とがそれぞれ正方向に重ねられている。第１の紡織フラットケーブル２１のこれらの導線のうち何れか１本の導線２０１が何れか複数の導通位置１５における導電性緯糸１２に電気的に接続されるとともに、第２の紡織フラットケーブル２２のこれらの導線のうち何れか１本の導線２０１が何れか複数の導通位置１５における導電性経糸１１に電気的に接続されている。
【００２４】
この第３実施例の導電布１には図５に示す切欠部１６が設けられ、切欠部１６内に処理手段３が設けられている（図６に示すように）。また、この第３実施例の処理手段３にも、さらに少なくとも２つの電気コネクタ３１が電気的に接続され、第１、第２の紡織フラットケーブル２１、２１に２つの電気コネクタ３１に対応するための対応する電気コネクタ２３がそれぞれ電気的に接続され、第１、第２の紡織フラットケーブル２１、２１の対応する電気コネクタ２３が処理手段３の両電気コネクタ３１にそれぞれ分離可能に電気的に接続されている。
【００２５】
以上に説明したように、本考案に係る織物用の制御装置は、特別に設計した導電布１及び紡織フラットケーブル手段２が柔らかく且つ互いに重ねて導通可能となることによって、織物に最も適用される制御装置になり、薄く且つ体積が小さいだけでなく、さらに柔らかな特性を持ち、人々がこれらの制御装置が設けられた織物を着る際に、柔らかく体積が小さいので、不快適な感覚を感じなくなり、また、特別に設計した導電布１と紡織フラットケーブル手段２及びその間の特別な接続関係によって、押ボタンスイッチとして用いる導通位置１５を同時に複数有し、複数の操作・制御を容易に行えるようになることを特徴とする。
【００２６】
以上の記載は単に本考案の好ましい具体的な実施例に過ぎず、本考案の実用新案登録請求の範囲を限定するものではなく、当業者は本考案の分野の中で、適当に変更や修飾などを実施できるが、これらの実施は本考案の主張範囲内に含まれるべきことは言うまでもない。
【符号の説明】
【００２７】
１・・・・・・導電布
２・・・・・・紡織フラットケーブル手段
３・・・・・・処理手段
１１・・・・・導電性経糸
１２・・・・・導電性緯糸
１３・・・・・絶縁性経糸
１４・・・・・電気ノード
１５・・・・・導通位置
１６・・・・・切欠部
２１・・・・・第１の紡織フラットケーブル
２２・・・・・第２の紡織フラットケーブル
２３・・・・・対応する電気コネクタ
３１・・・・・電気コネクタ
２０１・・・・導線
【図１】
0003178253.tif 000003
【図２】
0003178253.tif 000004
【図３】
0003178253.tif 000005
【図４】
0003178253.tif 000006
【図５】
0003178253.tif 000007
【図６】
0003178253.tif 000008